(57)【要約】【課題】地震発生時における躯体の層間変位量とレンガ壁の層間変位量との差に起因するレンガ壁の面内方向に沿ったせん断力によって、レンガ壁の強度が低下してしまうことを防止するレンガ壁の壁面構造、及びレンガ壁の施工方法を提供すること。【解決手段】レンガ壁２の壁面構造は、建物の躯体１の外側に空気層３を隔てて形成された複数のパネル２０であり、鉛直方向に沿って並設された複数のパネル２０と、パネル２０の鉛直荷重を受ける敷設部１１と、敷設部１１を躯体１に対して固定するための固定部１２と、を備えるアングル１０と、を備え、パネル２０は、中空レンガ２１と、敷設部１１及び複数の中空レンガ２１に固定された縦補強筋２３と、を備え、パネル２０が、パネル２０と上方又は下方において隣接する他のパネル２０によって妨げられることなく、躯体１の変位に伴ってレンガ壁２の面内方向に沿って変位することを可能とした。【選択図】図３
2014129682.tif 000002
【特許請求の範囲】
【請求項１】
レンガ壁の壁面構造であって、
建物の躯体の外側に空気層を隔てて形成された複数のパネルであり、鉛直方向に沿って並設された複数のパネルと、
前記躯体から前記パネルに亘って設置された荷重受け手段であって、前記パネルの下方に敷設されて、その上方に載置された前記パネルの鉛直荷重を受ける敷設部と、当該敷設部を前記躯体に対して固定するための固定部と、を備える荷重受け手段と、を備え、
前記パネルは、
鉛直方向に沿って積み上げられた複数の中空レンガと、
前記敷設部の上方に載置された前記複数の中空レンガの内部に鉛直方向に沿って挿通されたものであって、前記敷設部及び前記複数の中空レンガに固定された縦補強筋と、を備え、
前記パネルが、当該パネルと上方又は下方において隣接する他のパネルによって妨げられることなく、前記躯体の変位に伴って前記レンガ壁の面内方向に沿って変位することを可能とした、
レンガ壁の壁面構造。
【請求項２】
前記敷設部は、当該敷設部を鉛直方向に貫通する挿通孔を備え、
前記縦補強筋は、前記パネルと上方において隣接する前記他のパネルの鉛直荷重を受ける前記敷設部に設けられた前記挿通孔に対して、前記レンガ壁の面内方向に沿って変位することが可能となるように挿通されている、
請求項１に記載のレンガ壁の壁面構造。
【請求項３】
前記挿通孔は、前記レンガ壁の面内方向に沿った長孔である、
請求項２に記載のレンガ壁の壁面構造。
【請求項４】
前記パネルと、当該パネルと上方又は下方において隣接する他のパネルとの相互間に空間層を備える、
請求項１から３のいずれか一項に記載のレンガ壁の壁面構造。
【請求項５】
前記空間層の少なくとも一部に充填された伸縮目地を備える、
請求項４に記載のレンガ壁の壁面構造。
【請求項６】
複数の中空レンガと縦補強筋とを備える複数のパネルを、建物の躯体の外側に空気層を隔てて鉛直方向に沿って並設するレンガ壁の施工方法であって、
前記パネルの鉛直荷重を受ける敷設部と、当該敷設部を前記躯体に対して固定するための固定部と、を備える荷重受け手段を、前記躯体に取り付ける荷重受け手段取り付け工程と、
前記敷設部に前記縦補強筋を固定する縦補強筋固定工程と、
前記中空レンガの内部に前記縦補強筋が挿通されるように、前記敷設部の上方に前記複数の中空レンガを鉛直方向に沿って積み上げつつ、前記複数の中空レンガに前記縦補強筋を固定する中空レンガ積み上げ工程と、を含み、
前記荷重受け手段取り付け工程、縦補強筋固定工程、及び中空レンガ積み上げ工程を少なくとも２回以上繰り返し、
前記パネルが、当該パネルと上方又は下方において隣接する他のパネルによって妨げられることなく、前記躯体の変位に伴って前記レンガ壁の面内方向に沿って変位することを可能とした、
レンガ壁の施工方法。
【発明の詳細な説明】
【技術分野】
【０００１】
本発明は、レンガ壁の壁面構造に関する。
【背景技術】
【０００２】
従来、建物の美観性を向上させることを目的として、建物の躯体の外部に複数のレンガを積み上げて形成したレンガ壁を設けることによって、建物の外観をレンガ調とする化粧方法が採用されている（例えば、特許文献１参照）。このような化粧方法では、建物の躯体の外側に空気層を隔ててレンガ壁を形成し、このレンガ壁と躯体とを接続する荷重受け金具を架設する。そして、躯体が、この荷重受け金具を介して、レンガ壁の荷重を支えている。
【先行技術文献】
【特許文献】
【０００３】
【特許文献１】特開２００１−３１１２３７号公報
【発明の概要】
【発明が解決しようとする課題】
【０００４】
ここで、上述したように躯体とレンガ壁とは荷重受け金具を介して接続されているが、地震発生時においては、レンガ壁には殆ど層間変位が発生せず、一方、躯体には大きな層間変位が発生する。そのため、躯体とレンガ壁が荷重受け金具により接続されている位置においては、躯体の変位量とレンガ壁の変位量に差が生じないが、躯体とレンガ壁が荷重受け金具により接続されていない位置においては、躯体が変位するために、躯体の変位量とレンガ壁の変位量に差が生じてしまう。
【０００５】
そして、このようにレンガ壁における躯体とレンガ壁との変位量に差が生じる部分と、レンガ壁における躯体とレンガ壁との変位量に差が生じない部分とは、モルタル等の接合剤によって相互に接続されている。そのため、地震発生時には、レンガ壁に対して大きなせん断力が加わってしまい、その結果、レンガ壁の強度が低下してしまう可能性があった。
【０００６】
本発明は、地震発生時における躯体の層間変位量とレンガ壁の層間変位量との差に起因するレンガ壁の面内方向に沿ったせん断力によって、レンガ壁の強度が低下してしまうことを防止するレンガ壁の壁面構造、及びレンガ壁の施工方法を提供することを目的とする。
【課題を解決するための手段】
【０００７】
上述した課題を解決し、目的を達成するために、請求項１に記載のレンガ壁の壁面構造は、レンガ壁の壁面構造であって、建物の躯体の外側に空気層を隔てて形成された複数のパネルであり、鉛直方向に沿って並設された複数のパネルと、前記躯体から前記パネルに亘って設置された荷重受け手段であって、前記パネルの下方に敷設されて、その上方に載置された前記パネルの鉛直荷重を受ける敷設部と、当該敷設部を前記躯体に対して固定するための固定部と、を備える荷重受け手段と、を備え、前記パネルは、鉛直方向に沿って積み上げられた複数の中空レンガと、前記敷設部の上方に載置された前記複数の中空レンガの内部に鉛直方向に沿って挿通されたものであって、前記敷設部及び前記複数の中空レンガに固定された縦補強筋と、を備え、前記パネルが、当該パネルと上方又は下方において隣接する他のパネルによって妨げられることなく、前記躯体の変位に伴って前記レンガ壁の面内方向に沿って変位することを可能とした。
【０００８】
また、請求項２に記載のレンガ壁の壁面構造は、請求項１に記載のレンガ壁の壁面構造において、前記敷設部は、当該敷設部を鉛直方向に貫通する挿通孔を備え、前記縦補強筋は、前記パネルと上方において隣接する前記他のパネルの鉛直荷重を受ける前記敷設部に設けられた前記挿通孔に対して、前記レンガ壁の面内方向に沿って変位することが可能となるように挿通されている。
【０００９】
また、請求項３に記載のレンガ壁の壁面構造は、請求項２に記載のレンガ壁の壁面構造において、前記挿通孔は、前記レンガ壁の面内方向に沿った長孔である。
【００１０】
また、請求項４に記載のレンガ壁の壁面構造は、請求項１から３のいずれか一項に記載のレンガ壁の壁面構造において、前記パネルと、当該パネルと上方又は下方において隣接する他のパネルとの相互間に空間層を備える。
【００１１】
また、請求項５に記載のレンガ壁の壁面構造は、請求項４に記載のレンガ壁の壁面構造において、前記空間層の少なくとも一部に充填された伸縮目地を備える。
【００１２】
また、請求項６に記載のレンガ壁の施工方法は、複数の中空レンガと縦補強筋とを備える複数のパネルを、建物の躯体の外側に空気層を隔てて鉛直方向に沿って並設するレンガ壁の施工方法であって、前記パネルの鉛直荷重を受ける敷設部と、当該敷設部を前記躯体に対して固定するための固定部と、を備える荷重受け手段を、前記躯体に取り付ける荷重受け手段取り付け工程と、前記敷設部に前記縦補強筋を固定する縦補強筋固定工程と、前記中空レンガの内部に前記縦補強筋が挿通されるように、前記敷設部の上方に前記複数の中空レンガを鉛直方向に沿って積み上げつつ、前記複数の中空レンガに前記縦補強筋を固定する中空レンガ積み上げ工程と、を含み、前記荷重受け手段取り付け工程、縦補強筋固定工程、及び中空レンガ積み上げ工程を少なくとも２回以上繰り返し、前記パネルが、当該パネルと上方又は下方において隣接する他のパネルによって妨げられることなく、前記躯体の変位に伴って前記レンガ壁の面内方向に沿って変位することを可能とした。
【発明の効果】
【００１３】
請求項１に記載のレンガ壁の壁面構造、及び請求項６に記載のレンガ壁の施工方法によれば、レンガ壁を複数のパネルによって形成し、異なる荷重受け手段によって其々のパネルの鉛直荷重を受け、各パネルを相互に隣接する他のパネルによって妨げられることなく躯体の変位に伴って前記レンガ壁の面内方向に沿って変位させることによって、それぞれのパネルが面内方向に沿って変位した場合であっても、隣接する他のパネルに対して面内方向に沿った向きの力を与えることがないため、地震発生時における躯体の層間変位量とレンガ壁の層間変位量との差に起因する面内方向に沿ったせん断力を低減することが可能であり、このことによって、レンガ壁の強度が低下してしまうことを防止することが可能である。
【００１４】
請求項２に記載のレンガ壁の壁面構造によれば、縦補強筋を、上に隣接する他のパネルに設けられた挿通孔に対して、レンガ壁の面内方向に沿って変位することが可能となるように挿通することによって、縦補強筋の上端部及び下端部の両方を荷重受け手段に対して連係させることができるため、縦補強筋をレンガ壁の面内方向に沿って変位可能とした構造においても、縦補強筋が固定されたパネルの強度を確保することができる。
【００１５】
請求項３に記載のレンガ壁の壁面構造によれば、挿通孔としてレンガ壁の面内方向に沿った長孔を設けるのみで、当該長孔の内部を縦補強筋が面内方向に沿って変位することが可能となるため、極めて簡易な構成によって、縦補強筋をレンガ壁の面内方向に沿って変位させることができる。
【００１６】
請求項４に記載のレンガ壁の壁面構造によれば、パネルの相互間に空間層を設けるのみで、当該空間層を介して相互に隣接するパネル同士が、互いに干渉することなく面内方向に沿って変位することが可能となるため、極めて簡易な構成によって、パネルを、他のパネルにより妨げられることなく、レンガ壁の面内方向に沿って変位させることができる。
【００１７】
請求項５に記載のレンガ壁の壁面構造によれば、空間層に伸縮目地を設けることによって、レンガ壁の外部から空間層に向けて侵入する水やゴミ等を遮断することが可能となるため、空間層を形成したことによる不具合が発生することを防止できる。
【図面の簡単な説明】
【００１８】
【図１】本実施の形態に係るレンガ壁の壁面構造の立面図である。
【図２】図１のＡ−Ａ矢視断面図である。
【図３】レンガ壁の要部斜視図である。
【図４】地震動発生時におけるレンガ壁の変位を概略的に示す図である。
【発明を実施するための形態】
【００１９】
以下に添付図面を参照して、この発明に係るレンガ壁の壁面構造、及びレンガ壁の施工方法の実施の形態を詳細に説明する。まず、〔Ｉ〕実施の形態の基本的概念を説明した後、〔ＩＩ〕実施の形態の具体的内容について説明し、〔ＩＩＩ〕最後に、実施の形態に対する変形例について説明する。ただし、実施の形態によって本発明が限定されるものではない。
【００２０】
〔Ｉ〕実施の形態の基本的概念
まず、実施の形態の基本的概念について説明する。本実施の形態に係るレンガ壁の壁面構造は、建物の躯体の外側に空気層を隔てて形成されたレンガ壁の壁面構造である。ここで、「建物」とは、レンガ壁による化粧が施される建築物のことを指す。また、「躯体」とは、レンガ壁による化粧が施される建物の躯体のことであるが、本実施の形態においては、躯体の全体については図示せず、躯体の外壁における一部分のみを図示して説明する。なお、建物及び躯体の、形状、素材、及び大きさ等は特に限定されず、任意の建物の躯体に対して本実施の形態に係る方法を行うことが可能であるが、本実施の形態では、ＲＣ（Ｒｅｉｎｆｏｒｃｅｄ  Ｃｏｎｃｒｅｔｅ）造の建物の躯体に対して当該方法を行うものとして説明する。
【００２１】
〔ＩＩ〕実施の形態の具体的内容
次に、本発明に係る実施の形態の具体的内容について説明する。
【００２２】
以下、本発明に係るレンガ壁の壁面構造、及びレンガ壁の施工方法の実施の形態について図面を参照しつつ詳細に説明する。ただし、この実施の形態によって本発明が限定されるものではない。
【００２３】
（構成）
まずは、本発明の実施の形態に係るレンガ壁２の壁面構造の構成について説明する。図１は、本実施の形態に係るレンガ壁２の壁面構造の立面図である。図２は、図１のＡ−Ａ矢視断面図である。図３は、レンガ壁２の要部斜視図である。これら図１から図３に示すように、本実施の形態に係るレンガ壁２は、概略的に、アングル１０、複数のパネル２０、空間層３０、及び伸縮目地４０を備えて構成されている。なお、以下では、図３におけるＸ方向を「幅方向」、Ｙ方向を「奥行き方向」、Ｚ方向を「高さ方向」と必要に応じて称して説明する。また、Ｙ方向における、レンガ壁２が配置されている方を外側、躯体１が配置されている方を内側と必要に応じて称して説明する。また、図１に示すレンガ壁２は、実際にはコーナー部５０において互いに直交するものであるが、図１においては一つの平面上に仮想的に展開した状態を示している。
【００２４】
（構成−アングル）
アングル１０は、躯体１からパネル２０に亘って設置された荷重受け手段である。このアングル１０は、図３のように、幅方向に直交する断面が略Ｌ字形状の部材である。この略Ｌ字形に形成された部材のうち、水平方向に沿って配置されている部分を敷設部１１、鉛直方向に沿って配置されている部分を固定部１２と称して以下ではこれら敷設部１１及び固定部１２について説明する。なお、これらの敷設部１１と固定部１２とは、１枚の平板を折り曲げることにより一体形成され、あるいは、２枚の平板を相互に溶接等にて接合することにより形成されている。
【００２５】
（構成−アングル−敷設部）
敷設部１１は、パネル２０の下方に敷設されて、パネル２０の鉛直荷重を受ける敷設手段である。この敷設部１１は、長方形の板状体として形成されており、幅方向に沿って配置された所定数の中空レンガ２１の其々の鉛直荷重を受けることが可能な程度の幅を有し、躯体１の外面からレンガ壁２の外面（厳密には、レンガ壁２の外面よりも所定距離だけ内側）に略至る奥行きを有している。
【００２６】
この敷設部１１には、幅方向に沿って複数の長孔１３が所定の間隔で設けられている。この長孔１３は、敷設部１１を鉛直方向に貫通する挿通孔であり、また、レンガ壁２の面内方向に沿った長孔１３である。この長孔１３の形状は、具体的には、少なくとも縦補強筋２３を挿通する事が可能な程度に縦補強筋２３の直径よりも大きい奥行きを有し、また、挿通された縦補強筋２３が幅方向に沿って可動できる程度の幅を有する孔である。
【００２７】
そして、敷設部１１は、所定のパネル２０と上方又は下方において隣接する他のパネル２０との相互間に位置する空間層３０に配置され、かつ、敷設部１１の上面が、パネル２０を構成する中空レンガ２１のうち最下段の中空レンガ２１の底面に接するように配置されている。例えば、上下に２段のパネル２０が配置されている場合には、下のパネル２０を構成する複数の中空レンガ２１の中の最下段の中空レンガ２１の下方と、上のパネル２０を構成する複数の中空レンガ２１の中の最下段の中空レンガ２１の下方とに、それぞれ敷設部１１が配置され、下のパネル２０の下方に配置された敷設部１１は、当該下のパネル２０の鉛直荷重を受け、上のパネル２０の下方に配置された敷設部１１は、当該上のパネル２０の鉛直荷重を受ける。なお、図１の立面図における最も上方のアングル１０の敷設部１１には中空レンガ２１が載置されていないが、実際には、このアングル１０の敷設部１１の上方にも中空レンガ２１が載置されている。すなわち、図１は、このように敷設部１１の上方に載置された中空レンガ２１の記載を省略することによって、アングル１０の構成を見易くしたものである。
【００２８】
（構成−アングル−固定部）
固定部１２は、敷設部１１を躯体１に対して固定するための固定手段である。この固定部１２は、長方形の板状体として形成された部分であって、固定部１２と略同一の幅を有し、パネル２０の鉛直荷重を受ける敷設部１１を躯体１に対して安定的に固定するのに十分な程度の高さを有している。そして、この固定部１２は、任意の方法によって躯体１に対して接合されている。例えば、本実施の形態のように、固定部１２を奥行き方向に貫通する孔部を、固定部１２の幅方向に沿って複数設け、当該複数の孔部に外側から内側にかけてボルトを挿通し、躯体１における当該複数の孔部に対応する位置に設けた複数のボルト孔に締結しても良い。このように、パネル２０の鉛直荷重を受ける敷設部１１と一体に形成された固定部１２を躯体１に対して接合することによって、躯体１の層間変位にパネル２０を追従させることが出来る。
【００２９】
（構成−パネル）
パネル２０は、建物の躯体１の外側に空気層３を隔てて形成されたユニットである。図４は、地震動発生時におけるレンガ壁２の変位を概略的に示す図である。この図４に示すように、これら複数のパネル２０は、鉛直方向に沿って並設されており、地震動発生時において、図４に示すように其々異なる動きをすることが可能である。すなわち、各パネル２０は、其々のパネル２０の鉛直荷重を受けるアングル１０の変位に追従して面内方向に沿って変位することが可能であり、隣接する他のパネル２０によって面内方向に沿った変位を妨げられることがないように形成されている。以下では、このように変位するパネル２０の構成について説明する。なお、以下では、このように鉛直方向に沿って並設された複数のパネル２０のうち、所定の一のパネル２０について説明し、他のパネル２０については、これと同様に構成することが可能なものとして、特記しない限りその詳細な説明を省略する。
【００３０】
図１から図３に戻り、図示のように、このパネル２０は、概略的に、中空レンガ２１、モルタル２２、縦補強筋２３、及びパッキン２４を備えて構成されている。以下では、パネル２０を構成するこれらの構成要素について詳細に説明する。
【００３１】
（構成−パネル−中空レンガ）
中空レンガ２１は、鉛直方向に沿って積み上げられた建材である。図３に示すように、この中空レンガ２１は、奥行き方向に比して幅方向が長く形成された略直方形状のレンガである。そして、この中空レンガ２１には、幅方向に沿って３つのレンガ孔２１ａが並設されている。このレンガ孔２１ａは、中空レンガ２１を鉛直方向に貫通する孔であって、少なくとも上部ナット２３ｃ、下部ナット２３ｄ、高ナット２３ｅ、及びワッシャー２３ｆを内部に収容することが可能な程度の幅及び奥行きを有する孔として形成されている。なお、このような中空レンガ２１は公知のものを用いることが可能である。また、これら複数のレンガはいずれも略同一の形状にて構成されている。
【００３２】
そして、この中空レンガ２１が幅方向及び高さ方向に沿って其々所定の隙間を設けて配置されることによって、パネル２０の一部を構成している。なお、この中空レンガ２１同士の隙間には、モルタル２２が充填されているが、この点については後述する。
【００３３】
また、図１に示すように、レンガ壁２のコーナー部５０の付近には、高さ方向に略沿って図示のように中空レンガ２１の相互間に弾性目地５１が敷き詰められており、このように弾性目地５１が敷き詰められた部分にはモルタル２２が充填されていない。このことにより、互いに直交する面に沿って形成されたパネル２０が、互いに干渉し合うことなく其々の面内方向に沿って変位できる。また、躯体１と、中空レンガ２１の相互間に配置された縦補強筋２３やモルタル２２とを公知のウォールタイ６０によって接続することによって、レンガ壁２を躯体１に対してより強固に固定することが可能である。
【００３４】
（構成−パネル−モルタル）
モルタル２２は、各中空レンガ２１同士を接合し、また、各中空レンガ２１と縦補強筋２３とを接合する接合手段である。このモルタル２２は、中空レンガ２１同士の隙間に充填されており、このことにより互いに隣接する中空レンガ２１同士を接合している。また、モルタル２２は、各中空レンガ２１に設けられたレンガ孔２１ａのうち、縦補強筋２３が挿通されているレンガ孔２１ａの内部にも充填されており、このことによって、縦補強筋２３を中空レンガ２１に対して強く固定することが可能であり、レンガ壁２の耐震強度をより一層向上させることができる。なお、各中空レンガ２１に設けられたレンガ孔２１ａのうち、縦補強筋２３が挿通されていないレンガ孔２１ａの内部には、モルタル２２が充填されていない。
【００３５】
（構成−パネル−縦補強筋）
縦補強筋２３は、敷設部１１及び複数の中空レンガ２１に固定された補強手段である。この縦補強筋２３は、棒状体として形成された鉄筋である。そして、縦補強筋２３は、鉛直方向に沿って配置されており、複数の中空レンガ２１のレンガ孔２１ａの内部に挿通されている。具体的には、図１に示すように、各中空レンガ２１のいずれかのレンガ孔２１ａの内部を縦補強筋２３が通るように、幅方向に沿って等間隔に配置されている。なお、縦補強筋２３は、必ずしも等間隔に配置する必要はなく、図示のように、例えばコーナー部５０の付近のように地震動によって欠損し易い部分には、多くの縦補強筋２３を配置して補強しても良い。また、コーナー部５０には図示のように、コーナー部５０に沿って配置されたコーナー補強筋５２を配置することによって、さらにコーナー部５０を補強することが可能である。
【００３６】
ここで、縦補強筋２３の構成を具体的に説明するに際し、上下において空間層３０を介して隣接する２つのパネル２０を例に挙げて説明し、このうち、当該所定の一の縦補強筋２３により接合された複数の中空レンガ２１を含むパネル２０を「下パネル２０ａ」と称し、この下パネル２０ａの上方において隣接するパネル２０を「上パネル２０ｂ」と称して説明する。
【００３７】
まず、縦補強筋２３の下端部２３ｂは、下パネル２０ａの敷設部１１に対して任意の方法によって固定されている。例えば本実施の形態においては、図３に示すように、縦補強筋２３の下端部２３ｂは、下パネル２０ａの敷設部１１に設けられた長孔１３に挿通され、敷設部１１の下方にさらに所定距離だけ突出している。そして、縦補強筋２３における、この敷設部１１の下方に突出した部分には下部ナット２３ｄが装着されており、敷設部１１の上方の部分には高ナット２３ｅが装着されている。そして、これらの高ナット２３ｅと下部ナット２３ｄを締め付けて敷設部１１を挟み込むことにより、縦補強筋２３の下端部２３ｂを敷設部１１に固定することが可能である。なお、高ナット２３ｅは、下パネル２０ａの敷設部１１に載置された中空レンガ２１のレンガ孔２１ａの内部において、高ナット２３ｅが装着された縦補強筋２３と一体として収容される。また、縦補強筋２３における、この敷設部１１の下方に突出した部分は、空間層３０に配置される。
【００３８】
一方、縦補強筋２３の上端部２３ａは、下パネル２０ａと上方において隣接する上パネル２０ｂの鉛直荷重を受ける敷設部１１に設けられた長孔１３に対して、レンガ壁２の面内方向に沿って変位することが可能となるように挿通されている。具体的には、縦補強筋２３の上端部２３ａは、上パネル２０ｂの敷設部１１に設けられた長孔１３に挿通され、敷設部１１の上方にさらに所定距離だけ突出している。そして、この敷設部１１の上方に突出した部分には上部ナット２３ｃが装着されており、この上部ナット２３ｃと、上パネル２０ｂの敷設部１１の上面との間にはワッシャー２３ｆが介装されている。この際に、上部ナット２３ｃを緩く締めることによって、縦補強筋２３が、その上端部２３ａにおいてレンガ壁２の面内方向に沿って変位することが可能となる。
【００３９】
ここで、図２のように、縦補強筋２３における上パネル２０ｂの敷設部１１の上方に突出した部分、及びその突出した部分に装着された上部ナット２３ｃとワッシャー２３ｆは、上パネル２０ｂの敷設部１１に載置された中空レンガ２１のレンガ孔２１ａの内部に収容されている。そして、このように縦補強筋２３の上端部２３ａ等が収容されたレンガ孔２１ａにはモルタル２２を充填しない。具体的には、このレンガ孔２１ａの内部における上方を図示のようにパッキン２４で覆うことによって、このレンガ孔２１ａの内部にモルタル２２が侵入することを防止する。このようにして、縦補強筋２３の上端部２３ａがモルタル２２で固定されてしまうことにより、縦補強筋２３がレンガ壁２の面内方向に沿って変位できなくなってしまうことを防ぐことができる。
【００４０】
ここで、地震動発生時においては、躯体１におけるより上の方である程、躯体１の面内方向に沿った層間変位量が大きく、それに追従して変位するパネル２０の面内方向に沿った層間変位量も大きくなる。すなわち、上のパネル２０は、下のパネル２０よりも面内方向に沿った層間変位量が大きい。しかし、上記の構成を採用することにより、上のパネル２０が大きく変位した場合であっても縦補強筋２３が面内方向に沿って長孔１３を摺動するのみであって、上のパネル２０の変位に引きずられて下のパネル２０が変位することはない。そのため、レンガ壁２に対して、躯体１の層間変位量とレンガ壁２の層間変位量の差に伴うせん断力を低下させることが可能であり、その結果、レンガ壁２の強度が低下してしまうことを防止することが可能である。
【００４１】
ここで、図１に示すように、上パネル２０ｂの敷設部１１のうち、下パネル２０ａの縦補強筋２３の上端部２３ａが挿通された長孔１３の隣の長孔１３には、上述した縦補強筋２３の下端部２３ｂと同様の構成により、当該上パネル２０ｂの縦補強筋２３の下端部２３ｂが固定されている。そして、当該隣の長孔１３に固定された縦補強筋２３の上端部２３ａは、上パネル２０ｂのさらに上のパネル２０の敷設部１１に設けられた長孔１３に対して、上述した縦補強筋２３の上端部２３ａと同様の構成により、面内方向に沿って変位することが可能となるように挿通されている。このように、敷設部１１の幅方向に沿って並設された長孔１３に対して、縦補強筋２３の下端部２３ｂと上端部２３ａが交互に接続され、その上のパネル２０には、対応する上端部２３ａと下端部２３ｂが交互に接続されている。なお、必ずしも上端部２３ａと下端部２３ｂを交互に敷設部１１に対して接続する必要はなく、任意の配置により縦補強筋２３を敷設部１１に対して接続して構わない。
【００４２】
（構成−パネル−パッキン）
図２に戻り、パッキン２４は、縦補強筋２３の上端部２３ａが収容されたレンガ孔２１ａを封止する封止手段である。このパッキン２４は、ゴムや樹脂など任意の素材により形成することができる。また、このパッキン２４は、縦補強筋２３の上端部２３ａが収容されたレンガ孔２１ａにおける、縦補強筋２３の上端部２３ａの上方に配置されている。このことにより、当該レンガ孔２１ａの上方に充填されたモルタル２２が固化する前にレンガ孔２１ａの内部に侵入してしまうことにより縦補強筋２３の面内方向に沿った変位を妨げてしまうことを防止する。
【００４３】
（構成−空間層）
空間層３０は、パネル２０と、当該パネル２０と上方又は下方において隣接する他のパネル２０との相互間に設けられたパネル分離層である。ここで、図３に示すように、その他の中空レンガ２１同士の隙間と異なり、この空間層３０には、モルタル２２が敷き詰められていない。すなわち、空間層３０を介した上下のパネル２０は接合されておらず、このように空間層３０を設けて互いに隣接し合うパネル２０同士を分断することによって、其々のパネル２０が異なる変位量において自由に変位することができる。このような構成によって、所定のパネル２０が、隣接する所定の他のパネル２０によって妨げられることなく、躯体１の変位に伴ってレンガ壁２の面内方向に沿って変位することが可能となる。なお、本実施の形態では、空間層３０と表現しているが、実際には空間層３０の内部には縦補強筋２３の敷設部１１や伸縮目地４０が介在している。
【００４４】
（構成−伸縮目地）
伸縮目地４０は、空間層３０の少なくとも一部に充填された充填剤である。この伸縮目地４０は、空間層３０における、覆設部の外側に充填されており、このようにして伸縮目地４０によって空間層３０を塞ぐことによって、レンガ壁２の外側から空間層３０の内部に水やゴミ等が入り込んでしまうことを防止できる。なお、伸縮目地４０はパネル２０の変位を妨げない程度の伸縮性を有するものであればどのような素材のものであっても良い。
【００４５】
（施工方法）
続いて、上記のように構成されたレンガ壁２の施工方法について説明する。ここで、本実施の形態に係るレンガ壁２の施工方法は、概略的に、アングル取り付け工程、縦補強筋固定工程、及び中空レンガ積み上げ工程を含んで構成される。そして、上記の工程を行うことにより一つのパネル２０を形成することができ、これらの工程を繰り返し行うことによって、鉛直方向に沿って複数のパネル２０を並設することができる。なお、本実施の形態では、これらの工程を行うことにより下パネル２０ａを形成し、これらの工程を再度繰り返すことにより上パネル２０ｂを形成するまでの工程について説明する。なお、これらの各工程については適宜順序を入れ替えて行うことが可能であり、本実施の形態においてはその一例を示す。
【００４６】
（施工方法−下パネル）
まずは下パネル２０ａの形成方法について説明する。
【００４７】
（施工方法−下パネルの形成方法−アングル取り付け工程）
アングル取り付け工程は、アングル１０を、躯体１に取り付ける荷重受け手段取り付け工程である。具体的には、まず、下パネル２０ａのアングル１０の固定部１２に設けられた孔部の位置と対応する躯体１の位置にボルト孔を穿孔する。そして、これらのボルト孔の位置と、アングル１０の固定部１２に設けられた孔部の位置を合わせた状態において、任意の方法によってアングル１０を仮固定する。そして、この孔部に外側から内側にかけてボルトを挿通し、ボルトを躯体１のボルト孔に締結する。このようにして、アングル１０の幅方向に沿って配置された全ての孔部にボルトを挿通し、対応する位置に配置された躯体１のボルト孔にボルトを締結していくことで、アングル１０を躯体１に取り付けることができる。
【００４８】
（施工方法−下パネルの形成方法−縦補強筋固定工程）
縦補強筋固定工程は、敷設部１１に縦補強筋２３を固定する縦補強筋固定工程である。具体的には、まず、高ナット２３ｅを所定の位置に装着した縦補強筋２３を敷設部１１の長孔１３に挿通する。この際に、縦補強筋２３の下端部２３ｂが長孔１３の下方に突出するように挿通する。そして、このように突出した部分に下部ナット２３ｄを装着して、高ナット２３ｅと下部ナット２３ｄによって敷設部１１を挟み込むことによって、敷設部１１に縦補強筋２３を固定する。
【００４９】
（施工方法−下パネルの形成方法−中空レンガ積み上げ工程）
中空レンガ積み上げ工程は、複数の中空レンガ２１に縦補強筋２３を固定する中空レンガ積み上げ工程である。具体的には、まず、複数の中空レンガ２１を幅方向に沿って所定の間隔を設けつつ敷設部１１の上面に載置する。この際に、各中空レンガ２１のうち少なくとも一つのレンガ孔２１ａには縦補強筋２３が挿通されるように、各中空レンガ２１を載置する。そして、各中空レンガ２１の相互間に設けられた隙間、各中空レンガ２１における縦補強筋２３が挿通されたレンガ孔２１ａ、及び各中空レンガ２１の上面に、モルタル２２を充填する。このようにして第一段目の中空レンガ２１の積み上げが完成する。
【００５０】
そして、その上に同様の方法により第二段、第三段と中空レンガ２１を積み上げていく。この際にも、各中空レンガ２１のうち少なくとも一つのレンガ孔２１ａには縦補強筋２３が挿通されるように中空レンガ２１を積み上げる。このようにして所望の数の中空レンガ２１を積み上げることが可能である。例えば、図１に示すように、本実施の形態では、１９段の中空レンガ２１を敷設部１１の上方に積み上げて下パネル２０ａを形成している。なお、最上段の中空レンガ２１の上方にはモルタル２２を充填せず、このことによって、下パネル２０ａと上パネル２０ｂの相互間に空間層３０を設けることができる。
【００５１】
また、中空レンガ積み上げ工程では、下パネル２０ａの敷設部１１に下パネル２０ａを構成する最下段の中空レンガ２１を載置した後に、当該最下段の中空レンガ２１に設けられたレンガ孔２１ａのうち下パネル２０ａの下方において隣接する他のパネル２０の縦補強筋２３の上端部２３ａが収容されたレンガ孔２１ａに、パッキン２４を充填する。
【００５２】
（施工方法−上パネルの形成方法）
このように、アングル取り付け工程、縦補強筋固定工程、及び中空レンガ積み上げ工程を行うことによって、複数の中空レンガ２１によって形成された下パネル２０ａを形成することが可能であり、上記の各工程と略同一の方法によって上パネル２０ｂを形成することが可能である。以下では、上パネル２０ｂの形成方法を説明する上で、上述した下パネル２０ａの施工方法と異なる点についてのみ説明する。
【００５３】
まず、アングル取り付け工程では、中空レンガ積み上げ工程により積み上げた１９段の中空レンガ２１からなるパネル２０の上方にアングル１０を取り付ける。この際に、上述した縦補強筋固定工程において固定した縦補強筋２３の上端部２３ａが、アングル１０の長孔１３に挿通されて、縦補強筋２３の上端部２３ａが長孔１３の上方に突出した状態となるように上パネル２０ｂのアングル１０を取り付ける。そして、当該縦補強筋２３の上端部２３ａにおける長孔１３の上方に突出した部分に対してワッシャー２３ｆ及び上部ナット２３ｃを装着する。なお、アングル１０を躯体１に対して取り付ける方法については上述した方法と同様であるため、その詳細な説明を省略する。
【００５４】
次に、縦補強筋固定工程では、下パネル２０ａの縦補強筋２３の上端部２３ａが配置されていない長孔１３に対して縦補強筋２３を固定する。例えば図１のように、下パネル２０ａの上端部２３ａが配置された各長孔１３の間に配置された長孔１３に対して上パネル２０ｂの縦補強筋２３を固定しても良い。
【００５５】
（効果）
このように本実施の形態によれば、レンガ壁２を複数のパネル２０によって形成し、異なるアングル１０によって其々のパネル２０の鉛直荷重を受け、各パネル２０を相互に隣接する他のパネル２０によって妨げられることなく躯体１の変位に伴って前記レンガ壁２の面内方向に沿って変位させることによって、それぞれのパネル２０が面内方向に沿って変位した場合であっても、隣接する他のパネル２０に対して面内方向に沿った向きの力を与えることがないため、地震発生時における躯体１の層間変位量とレンガ壁２の層間変位量との差に起因する面内方向に沿ったせん断力を低減することが可能であり、このことによって、レンガ壁２の強度が低下してしまうことを防止することが可能である。
【００５６】
また、縦補強筋２３を、上に隣接する他のパネル２０に設けられた挿通孔に対して、レンガ壁２の面内方向に沿って変位することが可能となるように挿通することによって、縦補強筋２３の上端部２３ａ及び下端部２３ｂの両方をアングル１０に対して連係させることができるため、縦補強筋２３をレンガ壁２の面内方向に沿って変位可能とした構造においても、縦補強筋２３が固定されたパネル２０の強度を確保することができる。
【００５７】
また、挿通孔としてレンガ壁２の面内方向に沿った長孔１３を設けるのみで、当該長孔１３の内部を縦補強筋２３が面内方向に沿って変位することが可能となるため、極めて簡易な構成によって、縦補強筋２３をレンガ壁２の面内方向に沿って変位させることができる。
【００５８】
また、パネル２０の相互間に空間層３０を設けるのみで、当該空間層３０を介して相互に隣接するパネル２０同士が、互いに干渉することなく面内方向に沿って変位することが可能となるため、極めて簡易な構成によって、パネル２０を、他のパネル２０により妨げられることなく、レンガ壁２の面内方向に沿って変位させることができる。
【００５９】
また、空間層３０に伸縮目地４０を設けることによって、レンガ壁２の外部から空間層３０に向けて侵入する水やゴミ等を遮断することが可能となるため、空間層３０を形成したことによる不具合が発生することを防止できる。
【００６０】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６２】
（寸法や材料について）
発明の詳細な説明や図面で説明したレンガ壁２の各部の寸法、形状、比率等は、あくまで例示であり、その他の任意の寸法、形状、比率等とすることができる。また、各部を構成する材料については、金属や樹脂を含む任意の材料を用いることができる。
【００６３】
（アングルについて）
本実施の形態においては、アングル１０は、１９段からなる中空レンガ２１の荷重を支えるものであるが、アングル１０が支える中空レンガ２１の段数はいくつであっても構わない。また、パネル２０毎に異なる段数の中空レンガ２１の鉛直荷重を受けても良い。
【００６４】
（縦補強筋について）
本実施の形態では、縦補強筋２３は上方において隣接する他のパネル２０の敷設部１１に設けられた長孔１３を挿通するものとして説明したが、長孔１３を挿通しなくても良い。例えば、縦補強筋２３の上端部２３ａは、空間層３０に配置することとしても良い。また、縦補強筋２３の上端部２３ａが長孔１３を挿通している場合に、縦補強筋２３の上端部２３ａに上部ナット２３ｃやワッシャー２３ｆを取り付けなくても良い。
【００６５】
また、本実施の形態において、縦補強筋２３の下端部２３ｂは、長孔１３に対して固定されるものとして説明したが、これに限定されず、縦補強筋２３を鉛直方向に沿って設置することが可能であればどのようにして固定しても良い。例えば、敷設部１１に、長孔１３以外の固定用の孔を設けて、当該固定用の孔に対して縦補強筋２３を挿通した状態において、下部ナット２３ｄと高ナット２３ｅにより固定しても良い。
【００６６】
また、縦補強筋２３を複数に分割し、高さ方向に沿って複数に分割した縦補強筋２３を任意の方法により繋ぎ合わせても良い。
【００６７】
（挿通孔について）
本実施の形態において、縦補強筋２３を挿通する挿通孔は長孔１３であるものとして説明したが、縦補強筋２３が面内方向に沿って変位することが可能な構成であればこのような長孔１３に限られない。たとえば、挿通孔を、当該挿通孔の外径よりも大きい内径を有する正円形に形成しても良い。この場合には、例えば縦補強筋２３の外径と略同一の内径を有し、かつ挿通孔と略同一の外径を有する中空筒体のゴムを縦補強筋２３に装着し、当該中空筒体のゴムを装着した縦補強筋２３を挿通孔に挿入することによって、中空筒体のゴムの内部において、縦補強筋２３が自由に変位することができる。
【００６８】
（パネルについて）
一つのパネル２０を構成する中空レンガ２１の幅方向に沿って配置される数は任意である。また、本実施の形態では、図１に示すように、所定の中空レンガ２１の幅方向に沿った中央部のちょうど真上に上の段の各中空レンガ２１の隙間が位置することとなるように中空レンガ２１を配列したが、このような配列に限らず、任意の配列によって中空レンガ２１を積み上げて良い。ただし、各中空レンガ２１のいずれかのレンガ孔２１ａには縦補強筋２３が挿通されていることが望ましい。
【００６９】
（パッキンについて）
パッキン２４は必要に応じて省略しても良い。
【００７０】
（伸縮目地について）
伸縮目地４０は必要に応じて省略しても良い。
【００７１】
（高ナットについて）
本実施の形態では、下パネル２０ａの縦補強筋２３の下端部２３ｂを高ナット２３ｅと下部ナット２３ｄにより挟み込むことによって、縦補強筋２３を敷設部１１に対して固定したが、高ナット２３ｅは通常のナットであっても良い。
【００７２】
（縦補強筋の下端部を敷設部に固定する方法について）
本実施の形態では、縦補強筋２３に装着した高ナット２３ｅと下部ナット２３ｄによって敷設部１１を挟み込むことにより縦補強筋２３の下端部２３ｂを敷設部１１に固定するものとして説明したが、縦補強筋２３を敷設部１１に固定する方法はこの方法に限定されない。ここで、その他の方法の一例を以下に示す。なお、この方法においては、下部ナット２３ｄは使用しない。まず、公知の薄頭ボルトを、敷設部１１の下方から敷設部１１の長孔１３に挿入し、薄頭ボルトの先端部を敷設部１１の上方に突出させる。そして、この突出した薄頭ボルトの先端部に、高ナット２３ｅの一端部を螺合する。このようにして敷設部１１に高ナット２３ｅを取り付けた状態において、第一段目の中空レンガ２１のうち少なくとも一つのレンガ孔２１ａに高ナット２３ｅが挿通されるように、第一段目の中空レンガ２１を敷設部１１に載置する。その後、高ナット２３ｅの他端部に縦補強筋２３を螺合することにより、縦補強筋２３を敷設部１１に固定することが可能である。
【００７３】
このような縦補強筋２３の固定方法によれば、第一段目の中空レンガ２１の積み上げの際に、中空レンガ２１のレンガ孔２１ａに縦補強筋２３を挿通する必要がなく、縦補強筋２３よりも短い高ナット２３ｅのみを挿通すれば良いため、第一段目の中空レンガ２１の積み上げに要する手間を低減することが可能であり、施工性が向上する。また、このような縦補強筋２３の固定方法によれば、敷設部１１の下方の空間層３０には、下部ナット２３ｄよりも厚みの小さい薄頭ボルトの頭部のみが位置する。そのため、パネル２０が変位した場合であっても、薄頭ボルトの頭部が敷設部１１の下方に配置された中空レンガ２１に接触する可能性が小さい。よって、空間層３０が小さい場合（パネル２０の相互間の距離が小さい場合）であっても、当該空間層３０を介して相互に隣接するパネル２０同士が、互いに干渉することなく面内方向に沿って変位することが可能となる。
【符号の説明】
【００７４】
１  躯体
２  レンガ壁
３  空気層
１０  アングル
１１  敷設部
１２  固定部
１３  長孔
２０  パネル
２０ａ  下パネル
２０ｂ  上パネル
２１  中空レンガ
２１ａ  レンガ孔
２２  モルタル
２３  縦補強筋
２３ａ  上端部
２３ｂ  下端部
２３ｃ  上部ナット
２３ｄ  下部ナット
２３ｅ  高ナット
２３ｆ  ワッシャー
２４  パッキン
３０  空間層
４０  伸縮目地
５０  コーナー部
５１  弾性目地
５２  コーナー補強筋
６０  ウォールタイ
【図１】
2014129682.tif 000003
【図２】
2014129682.tif 000004
【図３】
2014129682.tif 000005
【図４】
2014129682.tif 000006